(57)【特許請求の範囲】
【請求項１】
仕切られた各小区画内においてその仕切り面に沿って板金用関係設備と塗装用関係設備とをそれぞれ配置し、前記板金用関係設備は、板金作業に必要な機器類を搭載し移動可能な板金スタンドと、バンパーの支承部を有すると共にバンパーの補修に必要な工具類を搭載した移動可能なバンパー補修スタンドからなることを特徴する車両ボディ補修用ストール。
【発明の詳細な説明】
【０００１】
【発明の属する技術分野】
本発明は、自動車等の車両の整備や修理を行なうのに簡便な車両ボディ修復用ストールに関する。
【０００２】
【従来の技術】
事故等により車両のボディなどが破損した場合は、板金作業と塗装作業によりその修復を行なうのが一般的である。
【０００３】
従来は、この修復作業は破損の大小にかかわらず同じ作業ストールにて行われており、又、該作業ストールは大破した車両の修復作業を考慮して作業のための設備を構築しているので、作業スペースや設備機器が大がかりにできていた。又、板金作業場から塗装作業場へと該車両を移動させる必要があった。
【０００４】
【発明が解決しようとする課題】
従来の車両の修復作業では、大破したものよりも小破したものの割合が多く、小破した車両の修復作業を上記の大がかりな作業ストールで行なう場合は、不必要な作業機器が存在したり、無駄なスペースを生じたりするので、作業性が悪くなると共に、修理作業場の稼動効率が悪くなるという問題点があった。
【０００５】
本発明はこれらの問題点を解消し、省スペースで短時間に効率よく小破車両の修復作業を行なうことが可能な、小破車両専用のボディ修復用ストールを提供することを目的とする。
【０００６】
【課題を解決するための手段】
本発明は上記の目的を達成するべく、仕切られた小区画内でその仕切り面に沿って板金用関係設備と塗装用関係設備とをそれぞれ配置し、前記板金用関係設備は、板金作業に必要な機器類を搭載し移動可能な板金スタンドと、バンパーの支承部を有すると共にバンパーの補修に必要な工具類を搭載した移動可能なバンパー補修スタンドからなることを特徴とする。
【０００７】
【発明の実施の形態】
本発明の実施の形態を図１乃至図５により説明する。
【０００８】
１は本発明の車体修復用ストールで、その大きさは普通車１車両分のボディ修理に適当な広さとなっている。そして該ストール１内には、板金スタンド２、バンパー補修スタンド３、ツールパネル４、ツールラック５、壁掛式バンパースタンド６、電気掃除機７、パッカー８、半自動溶接機９、スポット溶接機１０等からなる板金関係用設備と、集塵機１１、塗装用ロッカー１２、塗料調合スタンド１３、下地処理スタンド１４、遠赤外線スタンド１５、マスキングスタンド１６等からなる塗装関係用設備とが仕切り面に沿って配置されている。
【０００９】
尚、１７はアンカープレートを示す。
【００１０】
又、１ａ及び１ｂはカーテンを示し、通気性を有すると共に、該カーテン１ａを開いてＸ方向より補修を行なう車両Ａの搬入を行なうようになっている。
【００１１】
そしてこれらカーテン１ａ、１ｂにより仕切られた小区画内に集塵機１１を設置し、該集塵機１１は塗料を噴霧するスプレーキャビンと一体になっており、塗装の際の臭い及び塗料を回収するために水面に排出させる空気落としフィルターと通している。尚、塗料のミストを含有した排水は産業廃棄物として処理される。
【００１２】
このようにカーテン１ａ、１ｂにより仕切られた小区画内に集塵機１１を設置して簡易ブースに形成すると共にこれらカーテン１ａ、１ｂの仕切りより補修車両の出入りが行なえ、又塗装作業時にはこれらカーテン１ａ、１ｂの仕切りを通して空気の流入を行なうことができる。
【００１３】
ここで先ず板金関係用設備である前記板金スタンド２は車輪をつけて移動可能にしてあり、板金作業時に必要なハンマーやペンチ等の機器類を搭載している。
【００１４】
又、前記バンパー補修スタンド３も車輪をつけて移動可能にしてあり、図３に示すようにバンパーＢの支承部を有すると共にバンパー補修時に必要な工具類を搭載しているのでバンパーの取外し取付けが容易である。
【００１５】
前記ツールパネル４は壁掛式で板金作業に必要な小物の工具類がボードに分類されて掛けられている。又前記ツールラック５は、板金作業に必要なやや大型の機器類を吊下げて保管している。
【００１６】
前記壁掛式バンパースタンド６はバンパーＢを受け台に搭載することができ、不要の時には該受け台を折り畳めるので、場所を取らない。
【００１７】
前記電気掃除機７は、補修面のサンディング時に発生する鉄粉や塗装粉等の粉塵の除去に用いると共にルームクリーナとしても利用可能であり、車輪を有していて移動可能であるので、取扱いに便利である。
【００１８】
前記パッカー８は図４に示すように車輪を有し、移動が自在なので、補修する車両Ａの近傍に該パッカー８を置き、該車両Ａから大型部品の取付け取外しを行なうのに便利である。
【００１９】
前記半自動溶接機９は車輪を有するボンベキャリアに溶接機とガスボンベとを搭載しており、自由に移動してガス溶接や溶断作業等を行なうことができる。これは金属部品の修理に欠かせない機械である。
【００２０】
又、前記スポット溶接機１０も移動可能で、スポット溶接を行なうことができる。更に前記アンカープレート１７はストール１内に多数設置されており、板金用簡易スタンドとして使用される。
【００２１】
次に塗装関係用設備であるが、先ず前記塗装用ロッカー１２は、４段又は５段の棚からなり、各種の塗料や溶剤、パテ、マスキングテープ等の必要物品を収納している。又、前記塗料調合スタンド１３は塗料の調合時に使用する台で、ペイント下に必要な材料やスプレーガン等を置き、移動が可能なように車輪付きとしている。
【００２２】
前記下地処理スタンド１４は塗装の下地処理に必要なマスキングテープ、パテ関係、サンダー関係等の器材を置く台であり、車輪を有して移動可能である。
【００２３】
前記遠赤外線スタンド１５は塗装した面の乾燥に用いるもので、図５に示すように移動可能となっており、常に塗装乾燥特性にあった乾燥ができるよう温度制御を自動化している。
【００２４】
前記マスキングスタンド１６は、塗装不要の場所を覆うためのマスキングに必要な器材を搭載しており、車輪を付けて移動可能としている。
【００２５】
次に本発明の車両ボディ修復用ストールの使用方法について説明する。
【００２６】
図２に示すように、補修を要する車両Ａをストール１内に搬入し、前述の板金関係用設備や塗装関係用設備の各機器を用いて必要な補修を行なう。
【００２７】
該車両Ａが衝突により前部を小破したものであって、前部バンパーＢの交換及び車両ボディ前部の修復が必要な場合には、バンパー補修スタンド３を車両Ａに近付けて該車両Ａから前部バンパーＢを取外し、次いで該車両Ａのボディの修復を行う。
【００２８】
該ボディの破損がボディ前部の一部変形程度であれば、該変形部を加熱して板金作業により形状の匡正を行うので、該作業に必要な関係設備としてツールパネル４やツールラック５の工具類及び半自動溶接機９等が用いられる。
【００２９】
更に該板金補修した面はパテ類で補修して滑らかにした後、ボディの部分塗装又は全体塗装が行われる。
【００３０】
これ等の作業には塗装用ロッカーに塗装調合スタンド１３、下地処理スタンド１４、集塵機１１及び乾燥のための遠赤外線スタンド１５が用いられる。
【００３１】
乾燥の終わったボディには、新品の又は修理したバンパーＢをバンパー補修スタンド３を利用して取付け、該車両Ａの修理を完了する。
【００３２】
このように本発明のストール１には、事故等でボディを破損した車両Ａの補修に必要充分な設備がコンパクトに準備されており、補修作業を短時間のうちに能率良く行なうことができ又、前記小区画の大きさを、普通車１車両分のボディの修復作業に必要な大きさとしたので、狭い面積のストールですみ、従来型の作業ストールの敷地面積に数ストールの設置が可能となる。
【００３３】
尚、板金設備やペイント設備の内容についても、例えばスポット溶接機を設けないなどの変更があってもよい。
【００３４】
【発明の効果】
このように本発明によれば、従来よりも小さな作業スペースにおいて、小規模な設備を用いて小破車両の修復作業を行なうことができるので、省スペースであると共に作業を効率的に行なえる簡易ブースを得ることができる効果を有する。
【図面の簡単な説明】
【図１】本発明の１実施の形態の車体修理用ストールの斜視図である。
【図２】同上の平面図である。
【図３】設備の一部バンパー補修スタンドの斜視図である。
【図４】設備の一部パッカーの斜視図である。
【図５】設備の一部遠赤外線スタンドの斜視図である。
【符号の説明】
１    ストール
２      板金スタンド
３    バンパー補修スタンド
４    小物部品管理ボックス
５    ツールラック
６    壁掛式バンパースタンド
７    電気掃除機
８    パッカー
９    半自動溶接機
１０    スポット溶接機
１１    集塵機
１２    塗装用ロッカー
１３      塗料調合スタンド
１４      下地処理スタンド
１５      遠赤外線スタンド
１６      マスキングスタンド
【図１】
0003623826.tif 000002
【図２】
0003623826.tif 000003
【図３】
0003623826.tif 000004
【図４】
0003623826.tif 000005
【図５】
0003623826.tif 000006